(57)【特許請求の範囲】
【請求項１】
支持体の表面に直方体形状のプラスチック発泡体が少なくとも一つ固着されてなる使用済み手術用針の収納器具であって、該発泡体は、複数の発泡体素材をその長手方向に沿って接着剤で貼り合わせて積層した積層体であり、該手術用針を該発泡体の長手方向の側面に刺す時に、接着剤層を貫通して刺すことができ、それによりぐらぐらすることなく、しっかりと固定されるように構成されていることを特徴とする使用済み手術用針の収納器具。
【請求項２】
前記発泡体の使用済み手術用針を刺す側面と反対側の側面及び上面の両方にカバーシートを設けて、該手術用針を発泡体の側面に接着剤層を貫通して刺す時に、この針が該反対側の側面や上面から突出しないように構成されていることを特徴とする請求項１記載の使用済み手術用針の収納器具。
【請求項３】
前記発泡体のうちの少なくとも一つの発泡体の長手方向に沿って発泡体の下面近傍に、又は該発泡体の上面に、又は該下面近傍及び上面の両方に、使用済み手術用針をカウントするための記号が表示されていることを特徴とする請求項１又は２記載の使用済み手術用針の収納器具。
【請求項４】
支持体の表面に円柱形状又は多角柱形状のプラスチック発泡体が少なくとも一つ固着されてなる使用済み手術用針の収納器具であって、該発泡体は、複数の発泡体素材を発泡体の横断面が同心円のような形状になるように接着剤で貼り合わせて積層した積層体であり、該手術用針を該発泡体の外周面に刺す時に、接着剤層を貫通して刺すことができ、それによりぐらぐらすることなく、しっかりと固定されるように構成されていることを特徴とする使用済み手術用針の収納器具。
【請求項５】
前記発泡体の外周面に沿って発泡体の下面近傍に、又は該発泡体の上面に、又は該下面近傍及び上面の両方に、使用済み手術用針をカウントするための記号が表示されていることを特徴とする請求項４記載の使用済み手術用針の収納器具。
【発明の詳細な説明】
【０００１】
【発明の属する技術分野】
本発明は、使用済み手術用針の収納器具に関する。
【０００２】
【従来の技術】
医師が手術の際に縫合又は穿刺に用いる針については、手術前に予め用意した針の本数を数えておき、縫合又は穿刺が終わる度に一つ一つ所定の容器内に置き、手術が終わった後にその本数を数え、本数があっていることを確認した後に纏めて処理することが多い。この手術用針には尖鋭な小さなものが多いために、容器内に単に置くだけであると紛失し易く、その結果、手術前に確認した針の数と合わなくなることがある。また、容器内に置く際に針に自分の手などを刺してしまうこともあるため、Ｃ型肝炎の発症者やエイズウイルスの感染者の手術をする場合、医療関係者への感染の可能性が生じる。
【０００３】
また、縫合又は穿刺した後の手術用針をスポンジやコルクなどに突き刺して、手術後にその本数を確認してから、処分することも行われているが、この際にも上記したような問題がある。
【０００４】
【発明が解決しようとする課題】
縫合又は穿刺用の針を単に容器内に置いたり、スポンジなどに突き刺したりして管理するだけは、針を紛失したりすることがあり、問題になっている。このため、縫合又は穿刺した後に安全に針を処置し、管理することが求められていた。
【０００５】
本発明の課題は、縫合後又は穿刺後の手術用針を安全に処置・管理することができる使用済み手術用針の収納器具を提供することにある。
【０００６】
【課題を解決するための手段】
本発明の使用済み手術用針の収納器具は、支持体の表面に直方体形状のプラスチック発泡体が少なくとも一つ固着されてなる使用済み手術用針の収納器具であって、該発泡体は、所定の寸法を有する複数の発泡体素材をその長手方向に沿って接着剤で貼り合わせて積層した積層体であり、該手術用針を該発泡体の長手方向の側面に刺す時に、接着剤層を貫通して刺すことができ、それによりぐらぐらすることなく、しっかりと固定されるように構成されていることを特徴とする。
【０００７】
上記発泡体の使用済み手術用針を刺す側面と反対側の側面及び上面の両方にカバーシートを設けて、該手術用針を発泡体の側面に接着剤層を貫通して刺す時に、この針が該反対側の側面や上面から突出しないように構成されていることが好ましい。
【０００８】
上記発泡体のうちの少なくとも一つの発泡体の長手方向に沿って発泡体の下面近傍に、又は該発泡体の上面に、又は該下面近傍及び上面の両方に、使用済み手術用針をカウントするための記号が表示されていることが好ましい。
【０００９】
また、本発明の使用済み手術用針の別の収納器具は、支持体の表面に円柱形状又は多角柱形状のプラスチック発泡体が少なくとも一つ固着されてなる使用済み手術用針の収納器具であって、該発泡体は、所定の寸法を有する複数の発泡体素材を発泡体の横断面が同心円のような形状になるように接着剤で貼り合わせて積層した積層体であり、該手術用針を該発泡体の外周面に刺す時に、接着剤層を貫通して刺すことができ、それによりぐらぐらすることなく、しっかりと固定されるように構成されていることを特徴とする。
【００１０】
この収納器具の場合も、上記発泡体の外周面に沿って発泡体の下面近傍に、又は該発泡体の上面に、又は該下面近傍及び上面の両方に、使用済み手術用針をカウントするための記号が表示されていることが好ましい。
【００１１】
【発明の実施の形態】
本発明の実施の形態に係わる使用済み手術用針の収納器具によれば、図１に示すように、支持体１の表面に所定の寸法の直方体形状のプラスチック発泡体２(図１では、例として、３つの発泡体を示してある。)が接着剤により固着されており、発泡体２は、２つの発泡体素材２ａ、２ｂをその長手方向に沿って接着剤で貼り合わせて積層してある素材２ａ、接着剤層３及び素材２ｂからなる積層体である。使用済み針を発泡体２の側面２ｃに刺した時に、接着剤層３を貫通するようにすれば、針はぐらぐらすることなく、しっかりと固定され得る。
【００１２】
また、使用済み手術用針を発泡体２の側面２ｃに刺す時に、この針が反対側の側面又は上面から突出すると、医師又は看護婦を傷つけたりすることがあるので、図１では反対側の側面及び上面の両方にプラスチック製のカバーシート４を設けてある。このカバーシート４は、側面のみを固定し、上面はフリーの状態にしておいても良い。なお、図１では、真ん中の発泡体についてのみ、カバーシート４を開けた状態を示してある。カバーシート４は、発泡体の材質によっては、なくても所期の目的を達成することができる。
【００１３】
発泡体２の長手方向に沿って発泡体の下面近傍に、使用済み手術用針をカウントするための記号（数字）５を表示して、収納した針の本数を容易に確認することができるようにしてある。この数字は、発泡体２の上面に表示されていても、また、下面近傍及び上面の両方に表示されていても良い。この場合、記号の表示方法はいかなる方法でも良く、例えば、記号を直接発泡体の上面に印刷しても良いし、又は記号を表示したシートを発泡体の下面近傍、上面、若しくは下面近傍及び上面の両方に設けても良い。さらに、表示した数字に合わせて区割り線を引いておくことが好ましい。このように構成することにより、刺した手術用針の本数をさらに容易に確認することが可能である。
【００１４】
この収納器具で用いるプラスチック発泡体２としては、手術用針が容易に刺さり、かつ、抜け落ちないような材質の軟質プラスチック発泡体であればよく、例えば、メラミン−フォルムアルデヒド縮重合物からなるメラミンフォーム、ウレタンフォーム、ポリエチレンフォーム、スチレンフォームなどを用いることができる。発泡体２の寸法は特に制限されず、例えば、手術用針が充分刺さる幅を有するものであれば良い。
【００１５】
また、支持体１の材質は特に制限されないが、例えば、硬質プラスチックや厚紙などであれば良い。なお、支持体の形状は特に制限されないが、作業し易いようにするために、支持体には把持部分を設けても良い。
【００１６】
本発明の別の実施の形態に係わる使用済み手術用針の収納器具は、図２に示すように、支持体２１の上に円柱形状のプラスチック発泡体２２が接着剤で固着されているものである。発泡体２２は、発泡体素材２２ａ及び２２ｂを同心円形状に接着剤２３で貼り合わせ積層した積層体である。内側の円柱形状のプラスチック発泡体２２ｂの外周面に接着剤２３を貼付し、外側のプラスチック発泡体２２ａを、帯を巻くように接着して作製され得る。又は、発泡体シートを発泡体素材２２ａ及び発泡体素材２２ｂからなる同心円形状に打ち抜いた後、両素材を接着剤で貼り合わせても良い。
【００１７】
支持体２１は図１における支持体１と同様に硬質プラスチックや厚紙などであれば良い。なお、支持体の形状は特に制限されないが、作業し易いようにするために、支持体には把持部分を設けても良い。
【００１８】
また、プラスチック発泡体２２としては、上記発泡体２の場合と同様に、手術用針が容易に刺さり、かつ、抜け落ちないような材質の軟質プラスチック発泡体であればよく、上記直方体形状の発泡体の場合と同じものを用いることができる。また、発泡体２２の寸法は特に制限されず、例えば、手術用針が充分刺さる大きさを有するものであれば良い。使用済み手術用針は発泡体２２の外周面２４に沿って刺す。
【００１９】
発泡体２２の外周面２４に沿って発泡体の下面近傍には、使用済み手術用針をカウントするための記号（数字）２５が表示されている。この数字は、発泡体２２の上面に表示されていても、また、下面近傍及び上面の両方に表示されていても良い。この場合、記号の表示方法はいかなる方法でも良く、例えば、記号を直接発泡体の上面に印刷しても良いし、又は記号を表示したシートを発泡体の下面近傍、上面、若しくは下面近傍及び上面の両方に設けても良い。さらに、発泡体の外周面２４や上面には表示された数字に合わせて区割り線を引いておくことが好ましい。このように構成することにより、刺した手術用針の本数を容易に確認することが可能である。
【００２０】
発泡体の形状としては、図２に示すような円柱形状であっても、また三角柱や四角柱などの多角柱であっても良い。この円柱形状には、楕円柱形状のものも含まれるものとする。
【００２１】
【発明の効果】
本発明の収納器具によれば、接着剤層を挟んで複数のプラスチック発泡体素材を積層したプラスチック発泡体に使用済み針を刺すので、この接着剤層を貫通するように刺せば、針はぐらぐらすることなく、しっかりと固定される。発泡体が直方体形状である場合、針を刺す側と反対側の側面及び上面にカバーシートを設けることにより、針を発泡体に刺す時に、この針が反対側の側面及び上面から突出することもなく、医師や看護婦を傷つけたりすることがない。さらに、使用済み手術用針をカウントするための記号を表示するようにしてあるので、収納した針の本数を容易に確認することができる。
【００２２】
【図面の簡単な説明】
【図１】本発明の収納器具の構成例を説明するための斜視図。
【図２】本発明の収納器具の別の構成例を説明するための斜視図。
【符号の説明】
１  支持体                          ２  プラスチック発泡体
２ａ、２ｂ  発泡体素材              ２ｃ  発泡体側面
３  接着剤層                        ４  カバーシート
５  数字                          ２１  支持体
２２  プラスチック発泡体            ２２ａ、２２ｂ  発泡体素材
２３  接着剤層                      ２４  発泡体の外周面
２５  数字
【図１】
0003631198.tif 000002
【図２】
0003631198.tif 000003